(57)【要約】【課題】ジッパー付き包装袋において開けられたかどうか簡単に判別できるようにする。【解決手段】袋１を立てた状態における上端に位置する袋１の開口端において表側および裏側の各シート部３，４の内面に雄型のジッパーテープ５の下端部と雌型のジッパーテープ６の下端部をヒートシールにて接合させてなるジッパー付き包装袋において、両ジッパーテープ５，６間を噛み合い部１０よりも下側位置で手で剥離できる程度のヒートシール強度で界面剥離可能に接合させた。【選択図】        図２
2004168419.tif 000002
【特許請求の範囲】
【請求項１】
袋を立てた状態における上端に位置する袋の開口端において表側および裏側または裏側および表側の各シート部の内面に雄型のジッパーテープの下端部と雌型のジッパーテープの下端部を接合させてなるジッパー付き包装袋において、両ジッパーテープ間を噛み合い部よりも下側位置で手で剥離できる程度のヒートシール強度で界面剥離可能、あるいは層間剥離可能、あるいは凝集剥離可能に接合させてあることを特徴とするジッパー付き包装袋。
【請求項２】
両ジッパーテープの何れか一方はホットメルト型接着樹脂により作られ、他方は袋の内層を形成する材料と同系のポリエチレン系樹脂もしくはポリプロピレン系樹脂により作られていることを特徴とする請求項１記載のジッパー付き包装袋。
【請求項３】
両ジッパーテープの何れか一方はホットメルト型接着樹脂により作られ、他方は外面、内面共に袋の内層を形成する材料と同系のポリエチレン系樹脂もしくはポリプロピレン系樹脂により作られていることを特徴とする請求項１記載のジッパー付き包装袋。
【請求項４】
両ジッパーテープの何れか一方はホットメルト型接着樹脂により作られ、他方は外面が袋の内層を形成する材料と同系のポリエチレン系樹脂もしくはポリプロピレン系樹脂により作られ、内面は袋の内層を形成する材料と異なるポリエチレン系樹脂もしくはポリプロピレン系樹脂により作られていることを特徴とする請求項１記載のジッパー付き包装袋。
【請求項５】
両ジッパーテープは内面がポリエチレン系樹脂もしくはポリプロピレン系樹脂により作られ、両ジッパーテープの少なくとも噛み合い部よりも下側位置のヒートシールによる接合部位置において、一方のジッパーテープの内面にホットメルト型接着樹脂部分が設けられていることを特徴とする請求項１記載のジッパー付き包装袋。
【請求項６】
ポリエチレン系樹脂もしくはポリプロピレン系樹脂により作られているジッパーテープの外面の少なくとも下端部には袋の内層に接合されるホットメルト型接着樹脂部分を設けるようにしたことを特徴とする請求項１記載のジッパー付き包装袋。
【請求項７】
両ジッパーテープは直鎖状低密度ポリエチレン樹脂とポリブテン−１樹脂をランダムに配合した材料を含む樹脂を用いて作られていることを特徴とする請求項１記載のジッパー付き包装袋。
【請求項８】
両ジッパーテープの少なくとも噛み合い部よりも下側位置のヒートシールによる接合部位置において、両ジッパーテープの内面に直鎖状低密度ポリエチレン樹脂とポリブテン−１樹脂をランダムに配合した材料を含む樹脂部分を備えていることを特徴とする請求項１記載のジッパー付き包装袋。
【請求項９】
雄型のジッパーテープ側と雌型のジッパーテープ側はそれぞれ互いに異なる色で着色されていることを特徴とする請求項１から請求項７までの何れか１項記載のジッパー付き包装袋。
【発明の詳細な説明】
【技術分野】
【０００１】
本発明は、ジッパー付き包装袋に関するものである。
【背景技術】
【０００２】
従来のこの種ジッパー付き包装袋としては例えば特許文献１などで知られているものがある。即ち、袋の開口端付近における対向位置に雌雄係合する開閉可能なジッパーを一体的に設けたものが古くから知られている。
【特許文献１】実用新案登録第２５５７２５６号公報
【発明の開示】
【発明が解決しようとする課題】
【０００３】
上記の特許文献１に記載のような雌雄係合する開閉可能なジッパーを一体的に設けた包装袋にあって、スライダーを備えていないジッパー付き包装袋の場合は殆どの袋がジッパーが近くに存在する袋の開口端近傍の辺を含めて周辺がヒートシールにて閉じられており、袋の開口端近傍の辺のヒートシール部をカットしない限りジッパーを開いて袋を開けることができないが、中にはジッパーが近くに存在する袋の開口端近傍の辺がヒートシールされていないものもあり、その場合は店頭などでジッパーを開いて袋を簡単に開けることができ、開けられた後閉じられても開けられたかどうか判別できず、管理上問題がある。
【０００４】
また、スライダーを備えているジッパー付き包装袋の場合は袋の開口端にジッパーが設けられ、このジッパーの長さ方向に沿ってスライダーが移動可能に設けられていることから、袋の開口端をヒートシールにて閉じることは不可能であり、このようなスライダーを備えているジッパー付き包装袋においても同様に管理上問題がある。
【０００５】
本発明は、このような課題を解決するものであり、ジッパー付き包装袋において開けられたかどうか簡単に判別できるようにすることを目的とするものである。
【課題を解決するための手段】
【０００６】
本発明の請求項１に記載のジッパー付き包装袋は、袋を立てた状態における上端に位置する袋の開口端において表側および裏側または裏側および表側の各シート部の内面に雄型のジッパーテープの下端部と雌型のジッパーテープの下端部を接合させてなるジッパー付き包装袋において、両ジッパーテープ間を噛み合い部よりも下側位置で手で剥離できる程度のヒートシール強度で界面剥離可能、あるいは層間剥離可能、あるいは凝集剥離可能に接合させてあることを特徴とする。
【０００７】
請求項２に記載のジッパー付き包装袋は、両ジッパーテープの何れか一方はホットメルト型接着樹脂により作られ、他方は袋の内層を形成する材料と同系のポリエチレン系樹脂もしくはポリプロピレン系樹脂により作られていることを特徴とする。
【０００８】
請求項３に記載のジッパー付き包装袋は、両ジッパーテープの何れか一方はホットメルト型接着樹脂により作られ、他方は外面、内面共に袋の内層を形成する材料と同系のポリエチレン系樹脂もしくはポリプロピレン系樹脂により作られていることを特徴とする。
【０００９】
請求項４に記載のジッパー付き包装袋は、両ジッパーテープの何れか一方はホットメルト型接着樹脂により作られ、他方は外面が袋の内層を形成する材料と同系のポリエチレン系樹脂もしくはポリプロピレン系樹脂により作られ、内面は袋の内層を形成する材料と異なるポリエチレン系樹脂もしくはポリプロピレン系樹脂により作られていることを特徴とする。
【００１０】
請求項５に記載のジッパー付き包装袋は、両ジッパーテープは内面がポリエチレン系樹脂もしくはポリプロピレン系樹脂により作られ、両ジッパーテープの少なくとも噛み合い部よりも下側位置のヒートシールによる接合部位置において、一方のジッパーテープの内面にホットメルト型接着樹脂部分が設けられていることを特徴とする。
【００１１】
請求項６に記載のジッパー付き包装袋は、ポリエチレン系樹脂もしくはポリプロピレン系樹脂により作られているジッパーテープの外面の少なくとも下端部には袋の内層に接合されるホットメルト型接着樹脂部分を設けるようにしたことを特徴とする。
【００１２】
請求項７に記載のジッパー付き包装袋は、両ジッパーテープは直鎖状低密度ポリエチレン樹脂とポリブテン−１樹脂をランダムに配合した材料を含む樹脂を用いて作られていることを特徴とする。
【００１３】
請求項８に記載のジッパー付き包装袋は、両ジッパーテープの少なくとも噛み合い部よりも下側位置のヒートシールによる接合部位置において、両ジッパーテープの内面に直鎖状低密度ポリエチレン樹脂とポリブテン−１樹脂をランダムに配合した材料を含む樹脂部分を備えていることを特徴とする。
【００１４】
請求項９に記載のジッパー付き包装袋は、雄型のジッパーテープ側と雌型のジッパーテープ側はそれぞれ互いに異なる色で着色されていることを特徴とする。
【発明の効果】
【００１５】
以上のように、本発明のジッパー付き包装袋は、両ジッパーテープ間を噛み合い部よりも下側位置で手で剥離できる程度のヒートシール強度で互いに接合させてあることにより、例えば客が誤ってジッパーを開き両ジッパーテープの接合部を剥離させた場合、包装袋が開けられたことを確認することができる。特に、雄型のジッパーテープ側と雌型のジッパーテープ側をそれぞれ互いに異なる色で着色しておくことにより両ジッパーテープの接合部は色合成により別の色に変化しており、例えば客が誤ってジッパーを開き両ジッパーテープの接合部を剥離させた場合、接合部の色が各ジッパーテープ側の元の色に戻り、包装袋が開けられたことが判別しやすくなる。
【発明を実施するための最良の形態】
【００１６】
以下、本発明の実施の形態を、図面に基づいて説明する。
先ず、図１〜図３に示す第１の実施の形態について説明すると、１は包装袋で、この包装袋１は立てた状態における下端および両側の３つの辺がヒートシールにて閉じられる。２はそのヒートシール部である。そして、この包装袋１を立てた状態における上端に位置する開口端において袋１の表側および裏側（または裏側および表側）の各シート部３，４の内面に雄型のジッパーテープ５の下端部と雌型のジッパーテープ６の下端部をヒートシールにて接合させることによりジッパーテープ５，６を一体的に設けている。即ち、ジッパーテープ５および６が包装袋１の上端から突出するように設けられている。
【００１７】
前記包装袋１を構成するシート部３，４は外層３ａ，４ａがナイロンフィルム、内層３ｂ，４ｂがポリエチレンフィルムからなる２層構造であり、この包装袋１の開口端における各シート部３，４の内面に接合される雄型のジッパーテープ５と雌型のジッパーテープ６は次に述べるような材料で作られている。
【００１８】
例えば、雄型のジッパーテープ５の材料をＡ、雌型のジッパーテープ６の材料をＢとしたとき、Ａはホットメルト型接着樹脂、Ｂはポリプロピレン系樹脂であり、前記各シート部３，４の内層３ｂ，４ｂに対向する雄型のジッパーテープ５の材料であるＡおよび雌型のジッパーテープ６の材料であるＢの面にはそれぞれ共押し出しによりポリエチレン系樹脂層７およびホットメルト型接着樹脂層８が形成されている。そして、雄型のジッパーテープ５をシート部３の内面に、雌型のジッパーテープ６をシート部４の内面にそれぞれ例えば１８０度の温度で、シール時間一秒、シール圧２０Ｎ／ｃｍ２ で接合させたとき、ジッパーテープ５のポリエチレン系樹脂層７とシート部３のポリエチレンフィルムの内層３ｂとが互いに融着し、ジッパーテープ６のホットメルト型接着樹脂層８はシート部４のポリエチレンフィルムの内層４ｂに融着する。このとき、ジッパーテープ５のポリエチレン系樹脂層７とシート部３の内層３ｂのポリエチレンフィルムは同種であるので完全に融着し、ジッパーテープ６のホットメルト型接着樹脂層８とシート部４の内層４ｂのポリエチレンフィルムが５Ｎ／１５ｍｍ程度のヒートシール強度で接合する。即ち、ホットメルト型接着樹脂は加熱されることによりポリエチレンなどのポリオレフィン系の樹脂に対して接着する性質を有し、ポリオレフィン系の樹脂に対するヒートシール強度は５Ｎ／１５ｍｍ程度であることが実験により判明している。
【００１９】
また、本実施の形態のジッパー付き包装袋１は包装袋１を立てた状態におけるジッパー配設位置における下端部（幅方向一端部）で両ジッパーテープ５，６間をヒートシールにて界面剥離可能に接合している。９はこの両ジッパーテープ５，６間の接合部である。このジッパーテープ５の材料はホットメルト型接着樹脂、ジッパーテープ６の材料はポリプロピレン系樹脂であるので、ヒートシール強度は前述の５Ｎ／１５ｍｍ程度である。この５Ｎ／１５ｍｍ程度のヒートシール強度は手で簡単に剥離できる程度である。ところで、本実施の形態ではジッパーテープ５の材料であるホットメルト型接着樹脂に青色の着色剤が含有され、またジッパーテープ６の材料であるポリプロピレン系樹脂に黄色の着色剤が含有されており、両ジッパーテープ５，６間をヒートシールにて接合した状態において、接合部の色は色合成により緑となるように構成されている。また、ジッパーテープ５，６を共に透明材料で作り、その外側に設けられるポリエチレン系樹脂層７およびホットメルト型接着樹脂層８にそれぞれ青色および黄色の着色剤で着色を施しておくことにより、両ジッパーテープ５，６間をヒートシールにて接合したとき上記と同様に接合部の色は色合成により緑とすることができる。
【００２０】
なお、雄型のジッパーテープ５と雌型のジッパーテープ６の噛み合い部１０に熱を掛けると変形してしまうので、噛み合い部１０よりも下側でシート部３，４の内面に重なる両ジッパーテープ５，６の下端部のみをヒートシールにて接合させている。図中、１１はジッパーテープ５，６間を開閉するスライダーである。
【００２１】
ところで、前記ホットメルト型接着樹脂としては種々のものが知られているが、本実施の形態では両ジッパーテープ５，６間を界面剥離可能に接合するのに適した樹脂として、例えばヒロダイン（株）製のエチレン・酢酸ビニル共重合体を主成分とするエチレン・エチルアクリレート共重合体と石油樹脂、テレピン樹脂およびロジン系樹脂からなる群から選ばれた少なくとも一種の樹脂からなる樹脂組成物で形成されたものが用いられる。
【００２２】
また、上記した実施の形態では雄型のジッパーテープ５の材料をホットメルト型接着樹脂、雌型のジッパーテープ６の材料をポリプロピレン系の樹脂としているが、逆であっても良い。その場合、雄型のジッパーテープ５の外面にホットメルト型接着樹脂層、雌型のジッパーテープ６の外面にポリエチレン系樹脂層を形成する。
【００２３】
また、包装袋１の形としては上記した実施の形態以外に、ガゼットタイプ、合掌タイプ、スタンドパックタイプなどであっても良い。
さらに、上記した実施の形態ではジッパーにはスライダーが設けられているが、スライダーなしのジッパーにも実施できることは言うまでもない。
【００２４】
以上述べたように、本実施の形態では包装袋１のシート部３，４との接合部の高さ位置における両ジッパーテープ５，６の下端部間を手で簡単に剥離できる程度のヒートシール強度で接合した状態で商品（内容物が入っている袋）が店頭に並べられることになり、客が誤ってジッパーを開き両ジッパーテープ５，６の接合部９を剥離させた場合、接合部９の色（緑）が各ジッパーテープ５，６の色（青、黄）もしくはジッパーテープ５，６を透明とした場合その外側に設けられるポリエチレン系樹脂層７およびホットメルト型接着樹脂層８の色に戻り、包装袋１が開けられたことを確認することができる。
【００２５】
なお、上記のように両ジッパーテープ５，６の下端部間は手で簡単に剥離できる程度のヒートシール強度で接合してあり、消費者が商品を買って袋１から内容物を取り出すときはジッパーを開き両ジッパーテープ５，６の接合部９を剥離させることにより包装袋１から内容物を取り出すことができる。このとき、前記ジッパーテープ５，６間の接合部９のヒートシール強度と、前記ポリプロピレン系樹脂で作られ表面にホットメルト型接着樹脂層８が設けられている雌型のジッパーテープ６と包装袋１の内面とのヒートシール強度は同程度であるが、接合部９がジッパー配設位置における下端部に位置しているので、接合部９間を指で剥離させる際に雌型のジッパーテープ６と包装袋１との間の剥離は生じにくくなる。
【００２６】
ところで、本実施の形態ではジッパーテープ５を青色に、ジッパーテープ６を黄色に着色し、ヒートシールされた接合部が緑となるように構成されているが、他の色の組み合わせであっても良い。この両ジッパーテープ５，６の着色は必ずしも施さなくても良く、両ジッパーテープ５，６の接合部９を剥離させた場合、包装袋１が開けられたことを容易に確認することができる。
【００２７】
また、上記実施の形態では前記両ジッパーテープ５，６の噛み合い部１０よりも下側位置で両ジッパーテープ５，６間を手で剥離できる程度のヒートシール強度で界面剥離可能に接合させているが、層間剥離可能、あるいは凝集剥離可能に接合させてあっても良い。例えば、この凝集剥離用に使用されるホットメルト型接着樹脂として、三菱化学（株）製のＶＭＸ（登録商標）で知られるポリオレフィンを主成分とし、ラジカル重合性モノマーでグラフト変性されたポリオレフィン樹脂に非晶性ビニルポリマーを均質に含有する多成分系ポリマーと、分散相をポリオレフィンにスチレンを分散したものをポリマーアロイした樹脂が適している。
【００２８】
また、上記実施の形態では包装袋１は外層３ａ，４ａがナイロンフィルム、内層３ｂ，４ｂがポリエチレンフィルムからなる２層構造のシート部３，４によって作られた合成樹脂製のものであるが、その材料は特に限定されるものではない。つまり、包装袋１の材料は少なくとも内層がヒートシールの必要性からポリエチレンフィルムやポリプロピレンフィルムなどの合成樹脂フィルムで作られたものであれば、その内層の外側に積層される材料は合成樹脂以外のもの、例えばアルミ箔、紙、レーヨン紙などでも良い。
【００２９】
また、上記実施の形態ではホットメルト型接着樹脂からなる雄型のジッパーテープ５およびポリプロピレン系樹脂からなる雌型のジッパーテープ６において、前記各シート部３，４の内層３ｂ，４ｂに対向する面にそれぞれポリエチレン系樹脂層７およびホットメルト型接着樹脂層８が形成されているが、ポリプロピレン系樹脂からなる雌型のジッパーテープ６側に設けられるホットメルト型接着樹脂層８は必要であるのに対し、ホットメルト型接着樹脂からなる雄型のジッパーテープ５側に設けられるポリエチレン系樹脂層７は特に設けなくても良い。また、雄型もしくは雌型の一方のジッパーテープをホットメルト型接着樹脂で構成し、他方のジッパーテープをポリエチレン系樹脂で構成することも可能で、その場合、ポリエチレン系樹脂からなる他方のジッパーテープとシート部３の内層３ｂのポリエチレンフィルムは同種であるので完全に融着し、ホットメルト型接着樹脂からなる一方のジッパーテープとシート部４の内層４ｂのポリエチレンフィルムは前記実施の形態と同様に５Ｎ／１５ｍｍ程度のヒートシール強度で接合する。また、両ジッパーテープ間のヒートシール強度も５Ｎ／１５ｍｍ程度で、両者間は前記実施の形態と同様に界面剥離可能、あるいは層間剥離可能、あるいは凝集剥離可能に接合される。また、一方のジッパーテープをホットメルト型接着樹脂で構成し、他方のジッパーテープの外面をポリエチレン系樹脂で構成するとともに内面を包装袋１の内層を形成する材料と異なるポリプロピレン系樹脂により構成することも可能である。
【００３０】
さらに、上記実施の形態では両ジッパーテープ５，６を包装袋１の各シート部３，４の内面にヒートシールにて接合させているが、溶融押し出しされた直後の溶融状態の両ジッパーテープ５，６をシート状態の包装袋１の各シート部３，４の内面に重ねて接合させることによっても両ジッパーテープ５，６を包装袋１の各シート部３，４の内面に装着させることができる。
【００３１】
次に、図４に示す第２の実施の形態について説明すると、この第２の実施の形態は前記図１〜図３に示す第１の実施の形態の変形例であって、前記第１の実施の形態の雄型のジッパーテープ５ならびに雌型のジッパーテープ６の外面側に設けられるホットメルト型接着樹脂層８は全体がホットメルト型接着樹脂で作られているが、第２の実施の形態では雄型のジッパーテープ５を包装袋１の内層３ｂと同系のポリエチレン系樹脂で作るとともに、雌型のジッパーテープ６をポリプロピレン系樹脂で作り、両ジッパーテープ５，６の接合部９付近のみにおいて雄型のジッパーテープ５の内面側にホットメルト型接着樹脂からなる部分１２を設け、雌型のジッパーテープ６の下端部外面側に包装袋１の内層４ｂに接合されるホットメルト型接着樹脂からなる部分１３を設けている。なお、ホットメルト型接着樹脂からなる部分１３の代わりに包装袋１の内層４ｂと同系のポリエチレン系樹脂からなる部分を設けるようにしても良い。このように両ジッパーテープ５，６に噛み合い部１０よりも下側位置で最小必要部分にホットメルト型接着樹脂部分を設けるようにしても前記第１の実施の形態と同様の効果が得られる。この実施の形態において雄型のジッパーテープ５がホットメルト型接着樹脂で作られている場合はホットメルト型接着樹脂からなる部分１２は不要である。
【００３２】
次に、図５に示す第３の実施の形態について説明すると、この第３の実施の形態は雄型のジッパーテープ５ならびに雌型のジッパーテープ６共に包装袋１の内層３ｂ，４ｂと同系のポリエチレン系樹脂で作り、両ジッパーテープ５，６の接合部９付近のみにおいて雌型のジッパーテープ６の内面側にホットメルト型接着樹脂からなる部分１４を設けている。
【００３３】
また、両ジッパーテープ５，６間を噛み合い部１０よりも下側位置で手で剥離できる程度のヒートシール強度で簡単に剥離可能に接合させる手段として、両ジッパーテープ５，６共に例えば直鎖状低密度ポリエチレン樹脂とポリブテン−１樹脂をランダムに配合した材料を含む樹脂を用いて形成することによっても、この材料で作られたジッパーテープ５，６の下端部の接合部９間が完全結合されておらず、両ジッパーテープ５，６の接合部９間を手で簡単に凝集剥離させることができる。
【００３４】
また、図６に示す第４の実施の形態について説明すると、この第４の実施の形態は両ジッパーテープ５，６共に包装袋１の内層３ｂ，４ｂと同系のポリエチレン系樹脂で作り、両ジッパーテープ５，６の少なくとも噛み合い部１０よりも下側位置の接合部９付近において両ジッパーテープ５，６の内面側に直鎖状低密度ポリエチレン樹脂とポリブテン−１樹脂をランダムに配合した材料を含む樹脂部分１５，１６を設けている。これによってもジッパーテープ５，６の下端部の接合部９間が完全結合されておらず、両ジッパーテープ５，６の接合部９間を手で簡単に凝集剥離させることができる。
【００３５】
ところで、図面に示す実施の形態において両ジッパーテープ５，６を３層以上構造とすることができる。つまり、ジッパーテープ５，６の内面と外面との間にポリエチレン系樹脂やポリプロピレン系樹脂、ホットメルト型接着樹脂、直鎖状低密度ポリエチレン樹脂とポリブテン−１樹脂をランダムに配合した材料を含む樹脂以外の材料が接着性樹脂を用いて介在されていても良い。
【００３６】
さらに、上記した説明では両ジッパーテープ５，６の接合部９間は５Ｎ／１５ｍｍ程度のヒートシール強度で接合しているが、そのヒートシール強度は１Ｎ／１５ｍｍ以上であれば良い。
【図面の簡単な説明】
【００３７】
【図１】本発明の第１の実施の形態におけるジッパー付き包装袋の斜視図である。
【図２】同ジッパー付き包装袋の要部拡大断面図である。
【図３】同ジッパー付き包装袋を開けるときの状態を示す要部拡大断面図である。
【図４】本発明の第２の実施の形態におけるジッパー付き包装袋を開けるときの状態を示す要部拡大断面図である。
【図５】本発明の第３の実施の形態におけるジッパー付き包装袋を開けるときの状態を示す要部拡大断面図である。
【図６】本発明の第４の実施の形態におけるジッパー付き包装袋を開けるときの状態を示す要部拡大断面図である。
【符号の説明】
【００３８】
１            包装袋
２            ヒートシール部
３，４        シート部
３ａ，４ａ    外層
３ｂ，４ｂ    内層
５            雄型のジッパーテープ
６            雌型のジッパーテープ
７            ポリエチレン系樹脂層
８            ホットメルト型接着樹脂層
９            接合部
１０            噛み合い部
１１            スライダー
１２            ホットメルト型接着樹脂からなる部分
１３            ホットメルト型接着樹脂からなる部分
１４            ホットメルト型接着樹脂からなる部分
１５            直鎖状低密度ポリエチレン樹脂とポリブテン−１樹脂を含む樹脂部分
１６            直鎖状低密度ポリエチレン樹脂とポリブテン−１樹脂を含む樹脂部分
【図１】
2004168419.tif 000003
【図２】
2004168419.tif 000004
【図３】
2004168419.tif 000005
【図４】
2004168419.tif 000006
【図５】
2004168419.tif 000007
【図６】
2004168419.tif 000008